(57)【要約】【課題】非接触として、計測者の体温を計測でき、かつ、その体温値を、計測箇所と別位置で容易に証明できて、計測箇所での人員を削減できる非接触式温度計を提供すること。【解決手段】非接触式温度計１０は、計測者の体温を非接触として計測可能な非接触式温度センサ１９と、温度センサ１９の温度信号に基づいて体温値３０を算出する演算部１３と、演算部１３で算出された体温値３０を印刷媒体２６に印刷する印刷機２３と、を備えて構成されている。【選択図】図１
0003229359.tif 000002
【実用新案登録請求の範囲】
【請求項１】
計測者の体温を非接触として計測可能とする非接触式温度センサと、
該温度センサで計測された温度信号に基づいて体温値を算出する演算部と、
前記演算部で算出された体温値を印刷媒体に印刷する印刷機と、
を備えて構成されていることを特徴とする非接触式温度計。
【請求項２】
前記印刷機の印刷媒体には、前記体温値と前記温度センサの計測時の日時とが印刷されることを特徴とする請求項１に記載の非接触式温度計。
【請求項３】
前記演算部で算出された体温値を表示する表示パネルを備えて構成されていることを特徴とする請求項１若しくは請求項２に記載の非接触式温度計。
【請求項４】
前記温度センサ、前記演算部、及び、前記表示パネルを有した温度計本体に対し、前記印刷機が組み付けられて構成されていることを特徴とする請求項３に記載の非接触式温度計。
【考案の詳細な説明】
【技術分野】
【０００１】
本考案は、非接触として計測者の体温を計測でき、かつ、計測した体温値を印刷媒体に印刷して、計測者や他の第三者に報知できる非接触式温度計に関する。
【背景技術】
【０００２】
従来、赤外線センサを利用した非接触として、計測者の体温を計測できる非接触式温度計が知られている（例えば、特許文献１，２参照）。
【先行技術文献】
【特許文献】
【０００３】
【特許文献１】特開２０１３−１６３０３６号公報
【特許文献２】実用新案登録第３１６０２９２号公報
【考案の概要】
【考案が解決しようとする課題】
【０００４】
しかし、従来の温度計では、表示パネルに体温値を表示したり、あるいは、所定のカードリーダーに体温値を記録したりするだけで、計測箇所から離れた場所の人、例えば、計測箇所が、病院や工場等の入口として、その計測箇所から離れた位置の受付等の係りの人には、その体温値を的確に知らせることができなかった。そのため、計測箇所に、入場可能な体温か否かを確認する監視人を配置する必要が生じて、不便であった。特に、昨今のコロナ感染に対処するためには、このような検温態勢が避けられず、監視人の配置が必要となって、改善が望まれていた。
【０００５】
本考案は、上述の課題を解決するものであり、非接触として、計測者の体温を計測でき、かつ、その体温値を、計測箇所と別位置で容易に証明できて、計測箇所での人員を削減できる非接触式温度計を提供することを目的とする。
【課題を解決するための手段】
【０００６】
本考案に係る非接触式温度計は、計測者の体温を非接触として計測可能とする非接触式温度センサと、
該温度センサで計測された温度信号に基づいて体温値を算出する演算部と、
前記演算部で算出された体温値を印刷媒体に印刷する印刷機と、
を備えて構成されていることを特徴とする。
【０００７】
本考案に係る非接触式温度計では、温度センサが計測者の体温を計測すれば、その温度信号を、演算部が演算して、計測者の体温値を算出する。そして、算出された体温値は、印刷機により、印刷媒体に印刷される。そのため、計測者は、印刷媒体に印刷された体温値を、通常値であることを確認等しつつ、計測箇所から離れた守衛室や受付等に行き、係りの人に、印刷媒体を提示して、入場等することができる。
【０００８】
したがって、本考案に係る非接触式温度計では、非接触として、計測者の体温を計測でき、かつ、その体温値を、計測箇所と別位置で容易に証明できて、計測箇所の人員を削減することができる。勿論、非接触として、計測者の体温を計測できることから、体温計測時における他の人へのコロナ等の感染、を防止することにも役立つ。
【０００９】
そして、本考案に係る非接触式温度計では、前記印刷機の印刷媒体には、前記体温値と前記温度センサの計測時の日時とが印刷されることが望ましい。
【００１０】
このような構成では、計測した体温値とその計測時の日時とが併記されることから、その印刷媒体を受け取る守衛等の係りの人は、その計測時の日時の表示から、その体温値と計測者とを結び付け易くなって、計測者の体温値として、安心して、認識することできて、計測箇所の人員の削減による不安、を生じさせない。
【００１１】
また、本考案に係る非接触式温度計では、前記演算部で算出された体温値を表示する表示パネルを備えて構成されていることが望ましい。
【００１２】
このような構成では、計測者は、演算部で算出した体温値を、表示パネルの表示によっても確認することができる。
【００１３】
そしてこの場合、本考案に係る非接触式温度計では、前記温度センサ、前記演算部、及び、前記表示パネルを有した温度計本体に対し、前記印刷機が組み付けられて構成されていることが望ましい。
【００１４】
このような構成では、温度センサ、演算部、及び、表示パネルを有した既存の温度計（温度計本体）に対して、体温値や日時のデータを入力させるように、印刷機を追加する構成として、本考案の非接触式温度計を、容易に製造できる。
【考案の効果】
【００１５】
本考案に係る非接触式温度計では、非接触として、計測者の体温を計測でき、かつ、その体温値を、計測箇所と別位置で容易に証明できて、計測箇所の人員を削減することができる。
【図面の簡単な説明】
【００１６】
【図１】本考案の一実施形態の非接触式温度計の概略斜視図である。
【図２】同実施形態の非接触式温度計の側面図である。
【図３】同実施形態の非接触式温度計におけるブロック図である。
【図４】同実施形態の非接触式温度計の印刷機が印刷媒体に印刷した印刷物を示す図である。
【図５】実施形態の変形例のブロック図である。
【図６】他の実施形態の非接触式温度計の概略斜視図である。
【図７】さらに他の実施形態の非接触式温度計の概略斜視図である。
【考案を実施するための形態】
【００１７】
以下、本考案の一実施形態を図面に基づいて説明すると、実施形態の非接触式温度計１０は、図１〜３に示すように、設置台１に載置されるもので、温度計本体１１と、印刷機２３と、を備えて構成されている。温度計本体１１は、支持台１５、温度センサ１９、表示パネル２１、及び、演算部１３を内蔵した制御部１２、を備えて構成されている。そして、印刷機２３が温度計本体１１に組み付けられて、非接触式温度計１０が形成される構成としている。なお、印刷機２３は、電源供給用やデータ入力用等としての制御部１２側から延びる図示しないリード線を、結線させている。
【００１８】
支持台１５は、側方から見て略Ｌ字状として、設置台１に支持される脚部１６と、脚部１６の前端から上方へ延びる保持部１７と、を備えて構成されている。
【００１９】
温度センサ１９は、計測者３３の頭部、特に、額、を計測ポイントとして、赤外線を利用して、計測ポイントの温度を計測可能な汎用の放射温度計であり、支持台１５の保持部１７の上端に支持されている。
【００２０】
制御部１２の演算部１３は、温度センサ１９からの温度信号を演算して、体温値を算出する。
【００２１】
表示パネル２１は、セブンセグメント表示としており、制御部１２の演算部１３が算出した体温値３０を、制御部１２の制御により、表示することとなる。
【００２２】
制御部１２は、支持台１５の保持部１７の背面側に取り付けられており、演算部１３のほかに、ＲＴＣ（リアルタイムクロック）等を内蔵しており、非接触式温度計１０の電源オン時にセットされた日時から、時間をカウントしている。そして、制御部１２の演算部１３は、温度センサ１９からの温度信号を演算して計測者３３の体温値３０を算出する。この算出は、温度センサ１９による計測者３３の計測開始から所定数秒間（実施形態では、３秒間としているが、１〜５秒程度の間のいずれかの所定時間としてもよい）での、最高値として、算出している。
【００２３】
また、温度センサ１９の計測自体は、非接触式温度計１０の電源オンから開始されている。但し、温度センサ１９の正面に、計測者３３の額が配置されれば、配置される以前では、後方の壁等の室温等の低温の温度を計測している場合より、高温となることから、高くなった時点から、実質的な計測開始とし、その計測開始からの３秒間の間の最高値の温度信号に基づき、演算部１３が、最高値を体温値３０として算出する。
【００２４】
演算部１３が算出した体温値３０は、制御部１２が、表示パネル２１で表示できるように、表示パネル２１に対して、表示信号を出力する。そして、表示パネル２１は、体温値３０を表示する。
【００２５】
なお、制御部１２は、その後、温度センサ１９が計測者３３の位置の後方の壁等の室温等の低温（例えば、３０℃程度以下）の温度信号を出力し、その低温の温度を算出した演算部１３の信号に基づき、制御部１２は、表示パネル２１の表示を停止させるように（体温値３０の表示を消灯させるように）、表示パネル２１を制御する。
【００２６】
また、演算部１３が体温値３０を算出して、表示パネル２１が、制御部１２を介して、体温値３０を表示させる際には、印刷機２３は、制御部１２に制御されて、体温値３０と計測時の日時３１とを、印刷媒体２６に印刷する（図４参照）。なお、印刷機２３は、感熱ロール紙を印刷媒体２６としており、体温値３０と日時３１とを印刷媒体２６に印刷した印刷物２７は、印刷機２３のカッタ付きに排出口２３ａから繰り出され、計測者３３は、印刷媒体２６における体温値３０と日時３１とを印刷された部位の印刷物２７、を切り取れば、その印刷物２７を容易に取得できる。
【００２７】
以上のように、実施形態の非接触式温度計１０では、温度センサ１９が計測者３３の体温を計測すれば、その温度信号を、演算部１３が演算して、計測者３３の体温値３０を算出する。そして、算出された体温値３０は、表示パネル２１に表示されるとともに、印刷機２３により、印刷媒体２６に印刷される。そのため、計測者３３は、表示パネル２１で表示された体温値３０が通常値であり、印刷媒体２６に印刷された体温値３０も、通常値であることを確認して、計測箇所から離れた守衛室や受付等に行き、係りの人に、印刷媒体２６（詳しくは、印刷媒体２６に体温値３０を印刷した印刷物２７）を提示しつつ、入場等することができる。
【００２８】
したがって、実施形態の非接触式温度計１０では、非接触として、計測者３３の体温を計測でき、かつ、その体温値３０を、計測箇所と別位置で容易に証明できて、計測箇所の人員を削減することができる。勿論、非接触として、計測者３３の体温を計測できることから、体温計測時における他の人へのコロナ等の感染、を防止することにも役立つ。
【００２９】
そして、実施形態の非接触式温度計１０では、印刷機２３の印刷媒体２６には、体温値３０と温度センサ１９の計測時の日時３１とが印刷されている。
【００３０】
そのため、実施形態の非接触式温度計１０では、計測した体温値３０とその計測時の日時３１とが併記されることから、その印刷媒体２６を受け取る受付等の係りの人は、その計測時の日時３１の表示から、その体温値３０と計測者３３とを結び付け易くなって、計測者３３の体温値３０として、安心して、認識することできて、計測箇所の人員の削減による不安、を生じさせない。
なお、上記の点を考慮しなければ、印刷媒体２６には、日時３１の表示を無くして、体温値３０だけを印刷しても良い。
【００３１】
また、実施形態の非接触式温度計１０では、温度センサ１９、演算部１３、及び、表示パネル２１を有した温度計本体１１に対し、印刷機２３が組み付けられて構成されている。
【００３２】
そのため、実施形態の非接触式温度計１０では、温度センサ１９、演算部１３、及び、表示パネル２１を有した既存の温度計（温度計本体１１）に対して、体温値３０や日時３１のデータを入力させるように、印刷機２３を追加する構成としており、非接触式温度計１０を、容易に製造できる。そのため、印刷機２３の有無をオプションとして、印刷機２３の無い非接触式温度計を販売することもできる。
【００３３】
なお、非接触式温度計１０が、図５に示すように、印刷開始スイッチ２４（図１の二点鎖線参照）を備えて、印刷開始スイッチ２４の操作により、印刷機２３が、印刷媒体２６に、演算部１３で算出された体温値３０と日時３１と、を印刷するように構成してもよい（図５参照）。
【００３４】
このような構成では、印刷開始スイッチ２４の操作によって、印刷媒体２６に体温値３０と日時３１とを印刷することができ、例えば、表示パネル２１に、一次的に、不本意に高い体温値３０が表示された際等、計測し直して、適正な体温値３０が表示された際に、印刷開始スイッチ２４を操作して、印刷媒体２６にその体温値３０と日時３１とを印刷でき、無駄な印刷を省くことができる。
【００３５】
なお、印刷開始スイッチ２４は、図６の二点鎖線に示すように、印刷機２３から離れた位置に配置させた非接触スイッチタイプの印刷開始スイッチ２５として、構成しても良い。
【００３６】
また、実施形態の非接触式温度計１０では、演算部１３の算出する体温値３０は、非接触式温度センサ１９による計測開始（詳しくは、計測温度の上昇に伴なう計測開始）から所定数秒間（例えば、３秒間）の温度信号の最高値に基づいて、算出されている。
【００３７】
そのため、実施形態では、計測者３３が、温度センサ１９の前で、所定数秒間（上記の場合、３秒）、静止していれば、演算部１３が体温値３０を算出することから、迅速に、体温値３０を、表示パネル２１に表示したり、印刷媒体２６に印刷することができる。
【００３８】
なお、実施形態では、演算部１３が、非接触式温度センサ１９による計測開始（詳しくは、計測温度の上昇に伴なう計測開始）から所定数秒（例えば、３秒）間の温度信号の最高値を、体温値３０と算出したが、非接触式温度センサ１９による計測開始（詳しくは、計測温度の上昇に伴なう計測開始）から所定数秒間（例えば、３秒間）の温度信号の平均値を、体温値３０として算出してもよい。
【００３９】
また、図６に示す非接触式温度計１０Ａのように、支持台１５に、人感センサ２０を設置して、温度センサ１９の計測開始（若しくは、所定数秒間の温度信号による最高値、あるいは、平均値の算出）を、人感センサ２０による計測者３３の接近を検知してから、行うようにしてもよい。この場合、計測者３３が非接触式温度計１０Ａから離れれば、人感センサ２０がオフとなることから、温度センサ１９の計測を終了、あるいは、演算部１３の算出作業を終了、すればよい。
【００４０】
また、実施形態の非接触式温度計１０では、設置箇所の設置台１に載置可能な支持台１５に、表示パネル２１が支持され、表示パネル２１の上端側の支持台１５に、温度センサ１９が支持され、演算部１３が、表示パネル２１の裏面側となる支持台１５の部位に、配設されている。そして、印刷機２３が、支持台１５の側方近傍に配設されている。
【００４１】
そのため、実施形態の非接触式温度計１０では、設置台１に支持台１５を設置すれば、表示パネル２１と温度センサ１９が配置されて、計測者３３の体温を計測することができる。また、演算部１３は、表示パネル２１の背面側に配置されることから、非接触式温度計１０の正面側からの見栄えも良好となる。さらに、印刷機２３は、支持台１５の側方近傍に配設されていることから、体温値３０と日時３１とを印刷した印刷物２７を、計測者３３は入手しやすい。
【００４２】
さらに、図７に示す非接触式温度計１０Ｂのように、表示パネル２１を設けない構成としてもよい。すなわち、この非接触式温度計１０Ｂは、計測者の体温を非接触として計測可能とする非接触式温度センサ１９と、温度センサ１９で計測された温度信号に基づいて体温値を算出する演算部１３と、演算部１３で算出された体温値３０と日時３１と（図４参照）を印刷媒体２６に印刷する印刷機２３と、を備えて構成されている。なお、この温度計１０Ｂは、図１〜３に示す温度計１０から表示パネル２１だけを省略した構成としている。
【００４３】
この非接触式温度計１０Ｂでは、温度センサ１９が計測者の体温を計測すれば、その温度信号を、演算部１３が演算して、計測者の体温値を算出する。そして、算出された体温値３０や日時３１は、印刷機２３により、印刷媒体２６に印刷される。そのため、計測者は、印刷媒体２６に印刷された体温値３０を、通常値であることを確認等しつつ、計測箇所から離れた守衛室や受付等に行き、係りの人に、印刷媒体２６を提示して、入場等することができる。
【００４４】
したがって、この非接触式温度計１０Ｂでも、非接触として、計測者の体温を計測でき、かつ、その体温値３０を、計測箇所と別位置で容易に証明できて、計測箇所の人員を削減することができる。勿論、非接触として、計測者の体温を計測できることから、体温測時における他の人へのコロナ等の感染、を防止することにも役立つ。
【００４５】
なお、この非接触式温度計１０Ｂでも、支持台１５に、人感センサ２０を設置して、温度センサ１９の計測開始（若しくは、所定数秒間の温度信号による最高値、あるいは、平均値の算出）を、人感センサ２０による計測者の接近を検知してから、行うようにしてもよい。この場合、既述したように、計測者が非接触式温度計１０Ｂから離れれば、人感センサ２０がオフとなることから、温度センサ１９の計測を終了、あるいは、演算部１３の算出作業を終了、すればよい。
【符号の説明】
【００４６】
１０，１０Ａ，１０Ｂ…非接触式温度計、１３…演算部、１９…温度センサ、２１…表示パネル、２３…印刷機、２６…印刷媒体、２７…印刷物、３０…体温値、３１…日時、３３…計測者。
【図１】
0003229359.tif 000003
【図２】
0003229359.tif 000004
【図３】
0003229359.tif 000005
【図４】
0003229359.tif 000006
【図５】
0003229359.tif 000007
【図６】
0003229359.tif 000008
【図７】
0003229359.tif 000009